(57)【特許請求の範囲】
【請求項１】
最上部に位置し、５個の三角形を隙間なく五角錐状に組み合わせた形状の第１構造部と、第１構造部の下側に第１構造部とは隙間なく連設され、１５個の三角形を隙間なく環状に組み合わせた形状の第２構造部と、第２構造部の下側に第２構造部とは隙間なく連設され、２５個の三角形を隙間なく環状に組み合わせた形状の第３構造部と、第３構造部の下側に第３構造部とは隙間なく連設され、３０個の三角形を隙間なく環状に組み合わせた形状の第４構造部と、第４構造部の下側に第４構造部とは隙間なく連設されかつ基礎に接合され、３０個の三角形を隙間なく環状に組み合わせた形状の第５構造部とを基本構造とするドーム状建築物であって、
第１構造部ないし第５構造部を構成する各三角形よりも大きい開口部を設けるときには当該開口部内に位置する辺および頂点を除き、第１構造部ないし第５構造部を構成する各三角形の各辺に相当する位置にそれぞれ設けられているフレーム部材と、これらのフレーム部材の端部同士を連結するためのものであって第１構造部ないし第５構造部を構成する各三角形の各頂点に相当する位置にそれぞれ設けられているコネクタとから構成されるドーム状のトラス骨格を備え、
第４構造部と第５構造部との境界線上に設けられるフレーム部材を、ビームフレーム部材とし、
第４構造部と第５構造部との境界線上に設けられるコネクタを、ビームコネクタとし、
トラス骨格の中心に立設され、かつ、上端が少なくとも第４構造部と第５構造部との境界線の高さまで至るように形成されている中心柱部材と、
中心柱部材における、第４構造部と第５構造部との境界線の高さに対応する位置に固定されている中心梁受部材と、
ビームフレーム部材の中間位置に固定可能な複数の第１梁受部材と、
ビームコネクタに固定可能な複数の第２梁受部材と、
中心柱部材における、第４構造部と第５構造部との境界線の高さに対応する位置からビームフレーム部材の中間位置まで至る長さに形成され、かつ、一端を中心梁受部材に他端を第１梁受部材にそれぞれ固定可能な複数の第１梁部材と、
中心柱部材における、第４構造部と第５構造部との境界線の高さに対応する位置からビームコネクタまで至る長さに形成され、かつ、一端を中心梁受部材に他端を第２梁受部材にそれぞれ固定可能な複数の第２梁部材とを備えていることを特徴とするドーム状建築物。
【発明の詳細な説明】
【技術分野】
【０００１】
本発明は、ドーム状建築物に関し、更に詳しくは、設計の自由度を向上させるとともに１階の間取り変更を容易にしたドーム状建築物に関する。
【背景技術】
【０００２】
従来から、同一の球に内接する多数の三角形で構成される、ジオデシックドーム（あるいはフラードーム）と呼ばれるドームが知られている。ジオデシックドームは、正二十面体を構成する各正三角形を更に小さい複数の三角形に分割して生成される。また、正二十面体を構成する各正三角形の分割方法として、オルタネート分割と呼ばれる方法が知られている。オルタネート分割について、以下に簡単に説明する。
まず、正二十面体を構成する各正三角形の各辺をｎ等分（ｎ≧２）に分割する。次に、各辺の分割点同士を線で結ぶ。そうすると、各正三角形の内側に更に小さい複数の正三角形ができる。次に、分割により生成された複数の正三角形の各頂点を、正二十面体の外接球に投影する。具体的には、正二十面体の外接球の中心と、分割により生成された複数の正三角形の各頂点とを線で結ぶ。これらの線と、正二十面体の外接球との交点が、投影点となる。そして、投影点同士を線で結ぶ。そうすると、外接球の内側に沿って新たに複数の三角形ができる。このようにして、同一の球に内接する多数の三角形で構成される、ジオデシックドームを生成できる。なお、外接球の内側に沿って新たに生成される複数の三角形は、正三角形ではない。
【０００３】
また、オルタネート分割でｎ＝３とすると、１８０個の三角形で構成されるジオデシックドームができる。このジオデシックドームは、上から３／８のところと、上から５／８のところに、平坦なラインを有する。これらの平坦なラインは、基礎などとの接合面として利用しやすい。このため、オルタネート分割でｎ＝３として生成されるジオデシックドームは、ドーム状建築物に利用されることが多い。
具体的には、オルタネート分割でｎ＝３として生成されるジオデシックドームを、上から５／８のラインでカットすると、１０５個の三角形から構成される、下端面が平坦なドームができる。このドームの下端面は、十五角形となる。具体的には、最上部の第１構造部が、５個の三角形から構成され、その下の第２構造部が、１５個の三角形から構成され、その下の第３構造部が、２５個の三角形から構成され、その下の第４構造部が、３０個の三角形から構成され、その下の第５構造部が、３０個の三角形から構成されるドームができる。また、第５構造部の下端面は、平坦であり、かつ、十五角形である。そして、第１構造部ないし第５構造部を構成する各三角形の各辺に相当する位置に、それぞれ、フレーム部材を設けるとともに、第１構造部ないし第５構造部を構成する各三角形の各頂点に相当する位置に、それぞれ、フレーム部材の端部同士を連結するコネクタを設けることにより、下端面が平坦な、ドーム状のトラス骨格を構築できる。三角形の基本骨格からなる、ドーム状のトラス骨格は、構造的に強い特長を有しており、これにより、軽量で高強度のドーム状建築物を得ることができる。
【０００４】
ところで、ドーム状建築物を２階建てにする場合、上から５／８の平坦なラインでドームをカットし、この上から５／８の平坦なラインを基礎との接合面とし、この上から５／８の平坦なラインの位置に１階の床を設けるとともに、上から３／８の平坦なラインの位置に２階の床を設けることがあった。
また、２階の床を設けるには、２階の床を支える梁、つまり２階の床梁が必要となる。従来は、まず１階の間取りを決め、この間取りに基づいて柱の位置を決め、そして、この柱で２階の床梁を支えるようにしていた（特許第２６０１７２５号公報の図３０参照）。
なお、本件出願人は、ドーム状建築物に関し、下記の特許文献１ないし３に開示されている発明について特許を取得している。
【特許文献１】特許第２６０１７２５号公報
【特許文献２】特許第２７５６８９４号公報
【特許文献３】特公平７−９１８６４号公報
【発明の開示】
【発明が解決しようとする課題】
【０００５】
しかし、１階の間取りに基づいて位置を決めた柱で２階の床梁を支えると、２階の床を壊すことなく１階の間取りを自由に変更することができなくなってしまう。
そこで、本発明は、最上部に位置し、５個の三角形を五角錐状に組み合わせた形状の第１構造部と、その下に連設され、１５個の三角形を環状に組み合わせた形状の第２構造部と、その下に連設され、２５個の三角形を環状に組み合わせた形状の第３構造部と、その下に連設され、３０個の三角形を環状に組み合わせた形状の第４構造部と、その下に連設され、３０個の三角形を環状に組み合わせた形状の第５構造部とを基本構造とするドーム状建築物であって、開口部内に位置する辺および頂点を除き、第１構造部ないし第５構造部を構成する各三角形の各辺に相当する位置に、フレーム部材を設けるとともに、第１構造部ないし第５構造部を構成する各三角形の各頂点に相当する位置に、フレーム部材の端部同士を連結するコネクタを設け、これらによりドーム状のトラス骨格を構築し、このドーム状のトラス骨格を構造躯体とし、更にトラス骨格の中心に中心柱部材を立設し、この中心柱部材に中心梁受部材を設け、ビームフレーム部材の中間位置に固定可能な複数の第１梁受部材と、ビームコネクタに固定可能な複数の第２梁受部材と、一端を中心梁受部材に他端を第１梁受部材に固定可能な複数の第１梁部材と、一端を中心梁受部材に他端を第２梁受部材に固定可能な複数の第２梁部材とを備えることにより、１階の間取りに基づいて位置を決めた柱で２階の床梁を支えなくても済むようにして、２階の床を壊すことなく１階の間取りを自由に変更できるようにし、ひいては１階の間取りと２階の床との関係を切り離して設計の自由度を高めたドーム状建築物を提供することを目的とする。
【課題を解決するための手段】
【０００６】
（請求項１）
請求項１記載の発明は、最上部に位置し、５個の三角形を隙間なく五角錐状に組み合わせた形状の第１構造部11と、第１構造部11の下側に第１構造部11とは隙間なく連設され、１５個の三角形を隙間なく環状に組み合わせた形状の第２構造部12と、第２構造部12の下側に第２構造部12とは隙間なく連設され、２５個の三角形を隙間なく環状に組み合わせた形状の第３構造部13と、第３構造部13の下側に第３構造部13とは隙間なく連設され、３０個の三角形を隙間なく環状に組み合わせた形状の第４構造部14と、第４構造部14の下側に第４構造部14とは隙間なく連設されかつ基礎に接合され、３０個の三角形を隙間なく環状に組み合わせた形状の第５構造部15とを基本構造とするドーム状建築物10であって、第１構造部11ないし第５構造部15を構成する各三角形よりも大きい開口部96を設けるときには当該開口部96内に位置する辺および頂点を除き、第１構造部11ないし第５構造部15を構成する各三角形の各辺に相当する位置にそれぞれ設けられているフレーム部材20と、これらのフレーム部材20の端部同士を連結するためのものであって第１構造部11ないし第５構造部15を構成する各三角形の各頂点に相当する位置にそれぞれ設けられているコネクタ30とから構成されるドーム状のトラス骨格40を備え、第４構造部14と第５構造部15との境界線上に設けられるフレーム部材20を、ビームフレーム部材21とし、第４構造部14と第５構造部15との境界線上に設けられるコネクタ30を、ビームコネクタ32とし、トラス骨格40の中心に立設され、かつ、上端が少なくとも第４構造部14と第５構造部15との境界線の高さまで至るように形成されている中心柱部材50と、中心柱部材50における、第４構造部14と第５構造部15との境界線の高さに対応する位置に固定されている中心梁受部材60と、ビームフレーム部材21の中間位置に固定可能な複数の第１梁受部材71と、ビームコネクタ32に固定可能な複数の第２梁受部材72と、中心柱部材50における、第４構造部14と第５構造部15との境界線の高さに対応する位置からビームフレーム部材21の中間位置まで至る長さに形成され、かつ、一端を中心梁受部材60に他端を第１梁受部材71にそれぞれ固定可能な複数の第１梁部材81と、中心柱部材50における、第４構造部14と第５構造部15との境界線の高さに対応する位置からビームコネクタ32まで至る長さに形成され、かつ、一端を中心梁受部材60に他端を第２梁受部材72にそれぞれ固定可能な複数の第２梁部材82とを備えていることを特徴とする。
【０００７】
ここで、本発明に係るドーム状建築物10は、最上部に位置し、隙間なく五角錐状に組み合わせた５個の三角形から構成される第１構造部11と、第１構造部11の下側に第１構造部11とは隙間なく連設され、隙間なく環状に組み合わせた１５個の三角形から構成される第２構造部12と、第２構造部12の下側に第２構造部12とは隙間なく連設され、隙間なく環状に組み合わせた２５個の三角形から構成される第３構造部13と、第３構造部13の下側に第３構造部13とは隙間なく連設され、隙間なく環状に組み合わせた３０個の三角形から構成される第４構造部14と、第４構造部14の下側に第４構造部14とは隙間なく連設されかつ基礎に接合され、隙間なく環状に組み合わせた３０個の三角形から構成される第５構造部15とを基本構造とするものである。
【０００８】
つまり、本発明に係るドーム状建築物10は、１０５個の三角形を第１構造部11から第５構造部15までの５段構造（５層構造）にして隙間なく組み合わせた形状を基本構造とするものである。
また、本発明では、「第１構造部11」は、最上部に位置する。また、第１構造部11は、５個の三角形から構成されている。また、第１構造部11を構成する５個の三角形は、五角錐状に組み合わされている。また、第１構造部11では、隣り合う２つの三角形は、同じ長さの一辺を共有している。これにより、第１構造部11を構成する５個の三角形は、隙間なく組み合わされている。また、第１構造部11を構成する５個の三角形が、五角錐状に組み合わされていることから、第１構造部11を構成する５個の三角形の頂点は、第１構造部11の中心の一点に集まっている。この中心の点が、ドーム状建築物10の頂点となる。また、第１構造部11の下端面は、五角形である。
【０００９】
また、本発明では、「第２構造部12」は、第１構造部11の下側に連設されている。また、第２構造部12は、１５個の三角形から構成されている。また、第２構造部12を構成する１５個の三角形は、環状に組み合わされている。また、第２構造部12では、隣り合う２つの三角形は、同じ長さの一辺を共有している。これにより、第２構造部12を構成する１５個の三角形は、隙間なく環状に組み合わされている。また、第２構造部12の上端面は、五角形であり、また、第２構造部12の下端面は、十角形である。また、第１構造部11の下端面と第２構造部12の上端面とは、同一形状である。また、第１構造部11を構成する５個の三角形と、第２構造部12を構成する１５個の三角形のうちの５個とは、同じ長さの一辺を共有している。これにより、第１構造部11と第２構造部12とは、隙間なく連設されている。
【００１０】
また、本発明では、「第３構造部13」は、第２構造部12の下側に連設されている。また、第３構造部13は、２５個の三角形から構成されている。また、第３構造部13を構成する２５個の三角形は、環状に組み合わされている。また、第３構造部13では、隣り合う２つの三角形は、同じ長さの一辺を共有している。これにより、第３構造部13を構成する２５個の三角形は、隙間なく環状に組み合わされている。また、第３構造部13の上端面は、十角形であり、また、第３構造部13の下端面は、十五角形である。また、第２構造部12の下端面と第３構造部13の上端面とは、同一形状である。また、第２構造部12を構成する１５個の三角形のうちの１０個と、第３構造部13を構成する２５個の三角形のうちの１０個とは、同じ長さの一辺を共有している。これにより、第２構造部12と第３構造部13とは、隙間なく連設されている。
【００１１】
また、本発明では、「第４構造部14」は、第３構造部13の下側に連設されている。また、第４構造部14は、３０個の三角形から構成されている。また、第４構造部14を構成する３０個の三角形は、環状に組み合わされている。また、第４構造部14では、隣り合う２つの三角形は、同じ長さの一辺を共有している。これにより、第４構造部14を構成する３０個の三角形は、隙間なく環状に組み合わされている。また、第４構造部14の上端面は、十五角形であり、また、第４構造部14の下端面は、十五角形である。また、第３構造部13の下端面と第４構造部14の上端面とは、同一形状である。また、第３構造部13を構成する２５個の三角形のうちの１５個と、第４構造部14を構成する３０個の三角形のうちの１５個とは、同じ長さの一辺を共有している。これにより、第３構造部13と第４構造部14とは、隙間なく連設されている。
【００１２】
また、本発明では、「第５構造部15」は、第４構造部14の下側に連設されている。また、第５構造部15は、基礎に接合される。すなわち、第５構造部15は、最下部に位置する。また、第５構造部15は、３０個の三角形から構成されている。また、第５構造部15を構成する３０個の三角形は、環状に組み合わされている。また、第５構造部15では、隣り合う２つの三角形は、同じ長さの一辺を共有している。これにより、第５構造部15を構成する３０個の三角形は、隙間なく環状に組み合わされている。また、第５構造部15の上端面は、十五角形であり、また、第５構造部15の下端面は、十五角形である。また、第４構造部14の下端面と第５構造部15の上端面とは、同一形状である。また、第４構造部14を構成する３０個の三角形のうちの１５個と、第５構造部15を構成する３０個の三角形のうちの１５個とは、同じ長さの一辺を共有している。これにより、第４構造部14と第５構造部15とは、隙間なく連設されている。
【００１３】
また、例えば、第５構造部15に玄関95を設ける場合には、第５構造部15を構成する各三角形よりも大きな開口部96を設ける必要がある。この場合、例えば、３個の三角形を省略して大きな開口部96を形成し、そこに玄関95を設ける。そうすると、第５構造部15を構成する三角形は、３０個ではなく、２７個となる。「基本構造とし」とは、このように三角形が省略される場合を含むことを意味するものである。
また、本発明では、「フレーム部材20」は、第１構造部11ないし第５構造部15を構成する各三角形よりも大きい開口部96を設けるときには当該開口部96内に位置する辺を除き、第１構造部11ないし第５構造部15を構成する各三角形の各辺に相当する位置にそれぞれ設けられるものである。
【００１４】
つまり、フレーム部材20は、第１構造部11ないし第５構造部15を構成する各三角形の各辺に相当する位置にそれぞれ設けられる。ただし、第１構造部11ないし第５構造部15を構成する各三角形よりも大きい開口部96を設けるときには、当該開口部96内に位置する辺については、フレーム部材20は設けない。
また、本発明では、「コネクタ30」は、フレーム部材20の端部同士を接合するためのものであって、第１構造部11ないし第５構造部15を構成する各三角形よりも大きい開口部96を設けるときには当該開口部96内に位置する頂点を除き、第１構造部11ないし第５構造部15を構成する各三角形の各頂点に相当する位置にそれぞれ設けられるものである。
【００１５】
つまり、コネクタ30は、フレーム部材20の端部同士を接合するためのものであって、第１構造部11ないし第５構造部15を構成する各三角形の各頂点に相当する位置にそれぞれ設けられる。ただし、第１構造部11ないし第５構造部15を構成する各三角形よりも大きい開口部96を設けるときには、当該開口部96内に位置する頂点については、コネクタ30は設けない。
そして、本発明に係るドーム状建築物10は、第１構造部11ないし第５構造部15を構成する各三角形よりも大きい開口部96を設けるときには当該開口部96内に位置する辺および頂点を除き、第１構造部11ないし第５構造部15を構成する各三角形の各辺に相当する位置に、それぞれ、フレーム部材20を設けるとともに、第１構造部11ないし第５構造部15を構成する各三角形の各頂点に相当する位置に、それぞれ、フレーム部材20の端部同士を連結するコネクタ30を設け、これらにより「ドーム状のトラス骨格40」を構築し、このドーム状のトラス骨格40を構造躯体とするものである。
【００１６】
また、「ビームフレーム部材21」とは、第４構造部14と第５構造部15との境界線上に設けられるフレーム部材20をいう。
また、「ビームコネクタ32」とは、第４構造部14と第５構造部15との境界線上に設けられるコネクタ30をいう。
また、「中心柱部材50」は、トラス骨格40の中心に立設され、かつ、上端が少なくとも第４構造部14と第５構造部15との境界線の高さまで至る柱部材である。また、中心柱部材50には、例えば、金属製のパイプを用いることができる。
また、「上端が少なくとも第４構造部14と第５構造部15との境界線の高さまで至る」とは、中心柱部材50の上端が、第４構造部14と第５構造部15との境界線の高さに位置してもよく、また、第４構造部14と第５構造部15との境界線の高さよりも上方に位置してもよいことを意味するものである。つまり、中心柱部材50の高さは、第５構造部15の高さ以上である。更に換言すれば、中心柱部材50の高さは、第５構造部15の高さと同じ高さか、第５構造部15の高さよりも高い。
【００１７】
また、「中心梁受部材60」は、中心柱部材50における、第４構造部14と第５構造部15との境界線の高さに対応する位置に固定される梁受部材である。中心柱部材50の高さが、第５構造部15の高さと同じであれば、中心梁受部材60は、中心柱部材50の上端に固定される。
また、「第１梁受部材71」は、ビームフレーム部材21の中間位置に固定可能に形成される梁受部材である。例えば、第１梁受部材71に、フック部70eを設ける。そして、このフック部70eをビームフレーム部材21に引っ掛けた状態で、フック部70eとビームフレーム部材21とをビスあるいは釘で固定する。このようにして、第１梁受部材71をビームフレーム部材21の中間位置に固定可能とすることができる。また、第１梁受部材71は、複数備えられる。つまり、複数のビームフレーム部材21に、第１梁受部材71が固定される。
【００１８】
また、「第２梁受部材72」は、ビームコネクタ32に固定可能に形成される梁受部材である。例えば、第２梁受部材72に、連結パイプ部70hを設ける。そして、この連結パイプ部70hをビームコネクタ32のハブ30a内に挿入した状態で、連結パイプ部70hとハブ30aとをピンで留める。このようにして、第２梁受部材72をビームコネクタ32に固定可能とすることができる。また、第２梁受部材72は、複数備えられる。つまり、複数のビームコネクタ32に、第２梁受部材72が固定される。
また、「第１梁部材81」は、中心柱部材50における、第４構造部14と第５構造部15との境界線の高さに対応する位置からビームフレーム部材21の中間位置まで至る長さに形成される梁部材であって、一端を中心梁受部材60に、他端を第１梁受部材71に、それぞれ固定可能に形成される梁部材である。中心柱部材50の高さが、第５構造部15の高さと同じであれば、第１梁部材81は、中心柱部材50の上端からビームフレーム部材21の中間位置まで至る長さに形成される。また、第１梁部材81は、複数備えられる。つまり、中心柱部材50とビームフレーム部材21の中間位置との間を、複数の第１梁部材81が放射状に架け渡される。
【００１９】
また、「第２梁部材82」は、中心柱部材50における、第４構造部14と第５構造部15との境界線の高さに対応する位置からビームコネクタ32まで至る長さに形成される梁部材であって、一端を中心梁受部材60に、他端を第２梁受部材72に、それぞれ固定可能に形成される梁部材である。中心柱部材50の高さが、第５構造部15の高さと同じであれば、第２梁部材82は、中心柱部材50の上端からビームコネクタ32まで至る長さに形成される。また、第２梁部材82は、複数備えられる。つまり、中心柱部材50とビームコネクタ32との間を、複数の第２梁部材82が放射状に架け渡される。
【発明の効果】
【００２０】
（請求項１）
請求項１記載の発明によれば、トラス骨格の中心に中心柱部材を立設し、この中心柱部材に中心梁受部材を設け、ビームフレーム部材の中間位置に固定可能な複数の第１梁受部材と、ビームコネクタに固定可能な複数の第２梁受部材と、一端を中心梁受部材に他端を第１梁受部材に固定可能な複数の第１梁部材と、一端を中心梁受部材に他端を第２梁受部材に固定可能な複数の第２梁部材とを備えたことから、中心柱部材とビームフレーム部材の中間位置およびビームコネクタとの間に、複数の第１梁部材および第２梁部材を放射状に架け渡すことができ、更には放射状に架け渡した第１梁部材および第２梁部材で２階の床を支えることができる。これにより、１階の間取りに基づいて位置を決めた柱で２階の床梁を支えなくても済むので、２階の床を壊すことなく１階の間取りを自由に変更でき、更には１階の間取りと２階の床との関係が切り離されるので、設計の自由度を高めることができる。
【発明を実施するための最良の形態】
【００２１】
図１ないし図２２は、本発明の実施の形態を示すものである。
図１は、ドーム状建築物10の正面図、図２は、ドーム状建築物10の平面図、図３は、トラス骨格40の斜視図、図４は、中心柱部材50、中心梁受部材60、第１梁受部材71、第２梁受部材72、第１梁部材81および第２梁部材82の配置を示す正面図、図５は、中心柱部材50、中心梁受部材60、第１梁受部材71、第２梁受部材72、第１梁部材81および第２梁部材82の配置を示す平面図、図６および図７は、ベースコネクタ31の斜視図、図８は、ビームコネクタ32の斜視図、図９は、５アームコネクタ33の斜視図、図１０は、６アームコネクタ34の斜視図、図１１は、中心柱部材50の正面図（Ａ）およびＡ−Ａ線断面図（Ｂ）、図１２は、中心梁受部材60の平面図（Ａ）およびＢ−Ｂ線断面図（Ｂ）、図１３は、第１梁受部材71の平面図（Ａ）、側面図（Ｂ）および正面図（Ｃ）、図１４は、図４のＡ部拡大図であって、第１梁受部材71の使用状態を示す側面図、図１５は、第２梁受部材72の平面図（Ａ）、側面図（Ｂ）および正面図（Ｃ）、図１６は、図４のＢ部拡大図であって、第２梁受部材72の使用状態を示す側面図、図１７は、中心柱部材50、中心梁受部材60、第１梁受部材71、第２梁受部材72、第１梁部材81および第２梁部材82の配置の変形例を示す平面図、図１８は、中心梁受部材60の変形例を示す平面図、図１９は、中心柱部材50、中心梁受部材60、第１梁受部材71、第２梁受部材72、第１梁部材81および第２梁部材82の配置の変形例を示す平面図、図２０は、中心梁受部材60の変形例を示す平面図、図２１は、玄関95を設けたドーム状建築物10の正面図、図２２は、開口部96を設けたトラス骨格40の斜視図である。
【００２２】
（ドーム状建築物10）
図１および図２に示すように、本実施の形態に係るドーム状建築物10は、最上部に位置し、５個の三角形を隙間なく五角錐状に組み合わせた形状の第１構造部11と、第１構造部11の下側に第１構造部11とは隙間なく連設され、１５個の三角形を隙間なく環状に組み合わせた形状の第２構造部12と、第２構造部12の下側に第２構造部12とは隙間なく連設され、２５個の三角形を隙間なく環状に組み合わせた形状の第３構造部13と、第３構造部13の下側に第３構造部13とは隙間なく連設され、３０個の三角形を隙間なく環状に組み合わせた形状の第４構造部14と、第４構造部14の下側に第４構造部14とは隙間なく連設されかつ基礎に接合され、３０個の三角形を隙間なく環状に組み合わせた形状の第５構造部15とを基本構造とするものである。
【００２３】
つまり、本実施の形態に係るドーム状建築物10は、１０５個の三角形を第１構造部11から第５構造部15までの５段構造（５層構造）にして隙間なく組み合わせた形状を基本構造とするものである。
（第１構造部11）
図１および図２に示すように、第１構造部11は、最上部に位置する。また、第１構造部11は、同一形状の５個の三角形を隙間なく五角錐状に組み合わせた形状に形成されている。また、第１構造部11では、隣り合う２つの三角形は、同じ長さの一辺を共有している。これにより、第１構造部11を構成する５個の三角形は、隙間なく組み合わされている。また、第１構造部11を構成する５個の三角形が、五角錐状に組み合わされていることから、第１構造部11を構成する５個の三角形の頂点は、第１構造部11の中心の一点に集まっている。この中心の点が、ドーム状建築物10の頂点となる。また、第１構造部11の下端面は、五角形である。
【００２４】
（第２構造部12）
図１および図２に示すように、第２構造部12は、第１構造部11の下側に連設されている。また、第２構造部12は、所定形状の１５個の三角形を隙間なく環状に組み合わせた形状に形成されている。また、第２構造部12では、隣り合う２つの三角形は、同じ長さの一辺を共有している。これにより、第２構造部12を構成する１５個の三角形は、隙間なく環状に組み合わされている。また、第２構造部12の上端面は、五角形であり、また、第２構造部12の下端面は、十角形である。また、第１構造部11の下端面と第２構造部12の上端面とは、同一形状である。また、第１構造部11を構成する５個の三角形と、第２構造部12を構成する１５個の三角形のうちの５個とは、同じ長さの一辺を共有している。これにより、第１構造部11と第２構造部12とは、隙間なく連設されている。
【００２５】
（第３構造部13）
図１および図２に示すように、第３構造部13は、第２構造部12の下側に連設されている。また、第３構造部13は、所定形状の２５個の三角形を隙間なく環状に組み合わせた形状に形成されている。また、第３構造部13では、隣り合う２つの三角形は、同じ長さの一辺を共有している。これにより、第３構造部13を構成する２５個の三角形は、隙間なく環状に組み合わされている。また、第３構造部13の上端面は、十角形であり、また、第３構造部13の下端面は、十五角形である。また、第２構造部12の下端面と第３構造部13の上端面とは、同一形状である。また、第２構造部12を構成する１５個の三角形のうちの１０個と、第３構造部13を構成する２５個の三角形のうちの１０個とは、同じ長さの一辺を共有している。これにより、第２構造部12と第３構造部13とは、隙間なく連設されている。
【００２６】
（第４構造部14）
図１および図２に示すように、第４構造部14は、第３構造部13の下側に連設されている。また、第４構造部14は、所定形状の３０個の三角形を隙間なく環状に組み合わせた形状に形成されている。また、第４構造部14では、隣り合う２つの三角形は、同じ長さの一辺を共有している。これにより、第４構造部14を構成する３０個の三角形は、隙間なく環状に組み合わされている。また、第４構造部14の上端面は、十五角形であり、また、第４構造部14の下端面は、十五角形である。また、第３構造部13の下端面と第４構造部14の上端面とは、同一形状である。また、第３構造部13を構成する２５個の三角形のうちの１５個と、第４構造部14を構成する３０個の三角形のうちの１５個とは、同じ長さの一辺を共有している。これにより、第３構造部13と第４構造部14とは、隙間なく連設されている。
【００２７】
（第５構造部15）
図１および図２に示すように、第５構造部15は、第４構造部14の下側に連設されている。また、第５構造部15は、基礎に接合される。すなわち、第５構造部15は、最下部に位置する。また、第５構造部15は、所定形状の３０個の三角形を隙間なく環状に組み合わせた形状に形成されている。また、第５構造部15では、隣り合う２つの三角形は、同じ長さの一辺を共有している。これにより、第５構造部15を構成する３０個の三角形は、隙間なく環状に組み合わされている。また、第５構造部15の上端面は、十五角形であり、また、第５構造部15の下端面は、十五角形である。また、第４構造部14の下端面と第５構造部15の上端面とは、同一形状である。また、第４構造部14を構成する３０個の三角形のうちの１５個と、第５構造部15を構成する３０個の三角形のうちの１５個とは、同じ長さの一辺を共有している。これにより、第４構造部14と第５構造部15とは、隙間なく連設されている。
【００２８】
なお、図２１に示すように、例えば、第５構造部15に玄関95を設ける場合には、第５構造部15を構成する各三角形よりも大きな開口部96を設ける必要がある。この場合、例えば、３個の三角形を省略して大きな開口部96を形成し、そこに玄関95を設ける。そうすると、第５構造部15を構成する三角形は、３０個ではなく、２７個となる。「基本構造とし」とは、このように三角形が省略される場合を含むことを意味するものである。また、開口部96を設ける位置は、第５構造部15に限られるものではない。つまり、第４構造部14に、第４構造部14を構成する各三角形よりも大きな開口部96を設け、そこに大きな窓を設けることもできる。また、開口部96は、複数設けることもできる。つまり、第５構造部15の所定位置に、第１の開口部96を設け、そこに玄関95を設けるとともに、第５構造部15における第１の開口部96とは反対側に、第２の開口部96を設け、そこに大きな窓を設けることもできる。
【００２９】
（フレーム部材20、コネクタ30、トラス骨格40）
図３および図２２に示すように、本実施の形態に係るドーム状建築物10は、複数のフレーム部材20と、これらのフレーム部材20の端部同士を連結するためのコネクタ30とを備えている。
また、図３および図２２に示すように、フレーム部材20は、第１構造部11ないし第５構造部15を構成する各三角形よりも大きい開口部96を設けるときには当該開口部96内に位置する辺を除き、第１構造部11ないし第５構造部15を構成する各三角形の各辺に相当する位置にそれぞれ設けられるものである。
【００３０】
つまり、図３に示すように、フレーム部材20は、第１構造部11ないし第５構造部15を構成する各三角形の各辺に相当する位置にそれぞれ設けられる。ただし、図２２に示すように、第１構造部11ないし第５構造部15を構成する各三角形よりも大きい開口部96を設けるときには、当該開口部96内に位置する辺については、フレーム部材20は設けない。
また、図３および図２２に示すように、コネクタ30は、フレーム部材20の端部同士を接合するためのものであって、第１構造部11ないし第５構造部15を構成する各三角形よりも大きい開口部96を設けるときには当該開口部96内に位置する頂点を除き、第１構造部11ないし第５構造部15を構成する各三角形の各頂点に相当する位置にそれぞれ設けられるものである。
【００３１】
つまり、図３に示すように、コネクタ30は、フレーム部材20の端部同士を接合するためのものであって、第１構造部11ないし第５構造部15を構成する各三角形の各頂点に相当する位置にそれぞれ設けられる。ただし、図２２に示すように、第１構造部11ないし第５構造部15を構成する各三角形よりも大きい開口部96を設けるときには、当該開口部96内に位置する頂点については、コネクタ30は設けない。
そして、図３および図２２に示すように、本実施の形態に係るドーム状建築物10は、第１構造部11ないし第５構造部15を構成する各三角形よりも大きい開口部96を設けるときには当該開口部96内に位置する辺を除き、第１構造部11ないし第５構造部15を構成する各三角形の各辺に相当する位置に、それぞれ、フレーム部材20を設けるとともに、第１構造部11ないし第５構造部15を構成する各三角形よりも大きい開口部96を設けるときには当該開口部96内に位置する頂点を除き、第１構造部11ないし第５構造部15を構成する各三角形の各頂点に相当する位置に、それぞれ、フレーム部材20の端部同士を連結するコネクタ30を設け、これらにより「ドーム状のトラス骨格40」を構築し、このドーム状のトラス骨格40を構造躯体している。
【００３２】
ここで、第５構造部15の下端から斜め上方へ向けて延びて第５構造部15の上端（第４構造部14の下端、あるいは第５構造部15と第４構造部14との境界）まで至るフレーム部材20を、ロングフレーム部材22とする（図３参照）。
また、第４構造部14と第５構造部15との境界線上に設けられるフレーム部材20を、ビームフレーム部材21とする（図３参照）。
また、第５構造部15の下端に設けられるコネクタ30を、ベースコネクタ31とする（図３参照）。
また、第４構造部14と第５構造部15との境界線上に設けられるコネクタ30を、ビームコネクタ32とする（図３参照）。
【００３３】
また、ベースコネクタ31およびビームコネクタ32以外のコネクタ30であって、５本のフレーム部材20の端部が集まる位置（５個の三角形の頂点が集まる位置）に設けられるコネクタ30を、５アームコネクタ33とする（図３参照）。
また、ベースコネクタ31およびビームコネクタ32以外のコネクタ30であって、６本のフレーム部材20の端部が集まる位置（６個の三角形の頂点が集まる位置）に設けられるコネクタ30を、６アームコネクタ34とする（図３参照）。
また、本実施の形態では、第１構造部11、第２構造部12、第３構造部13および第４構造部14を構成する各三角形が、半径Ｒ（Ｒは定数）の同一の球に内接し、かつ、第５構造部15を構成する各三角形が、半径Ｒ×０．９８５かつ高さＲ×Ａ（Ａは定数、かつ、Ａ＞０．３４４）の同一の円柱に内接するように、各フレーム部材20および各コネクタ30が形成されている。
【００３４】
具体的には、本実施の形態では、図１および図３に示すように、第５構造部15の下端から斜め上方へ向けて延びて第５構造部15の上端まで至るフレーム部材20（ロングフレーム部材22）の長さを、ジオデシックドームのそれよりも長くしている。また、これらのフレーム部材20の長さを長くすると、これらのフレーム部材20（ロングフレーム部材22）同士のなす角度も、ジオデシックドームのそれとは異なってくる。このため、この角度変化にあわせて、第５構造部15の下端に設けられるコネクタ30（ベースコネクタ31）および第５構造部15の上端に設けられるコネクタ30（ビームコネクタ32）の形状も、ジオデシックドームのそれとは異なる形状にしている。このようにして、本実施の形態では、第５構造部15の高さを、ジオデシックドームのそれよりも高くしている。
【００３５】
より具体的には、本実施の形態では、Ｒ＝４．８（メートル）とし、Ａ＝０．５５４としている。そして、本実施の形態では、上記の条件を満たすように、各フレーム部材20および各コネクタ30を形成している。これらを組み立てると、Ｒ×０．９８５＝４．７２８より、直径が約９．５メートル、Ｒ×Ａ＝２．６５９２より、第５構造部15の高さが約２．７メートルのドーム状のトラス骨格40が得られる。このため、本実施の形態では、直径が約９．５メートルを比較的小さいドーム状建築物10でありながらも、第５構造部15の下端を基礎との接合面とするとともに、第５構造部15の下端の位置に１階の床を設け、第５構造部15の上端の位置に２階の床を設けている。
【００３６】
（ビームフレーム部材21）
上述したように、ビームフレーム部材21は、第４構造部14と第５構造部15との境界線上に設けられるフレーム部材20である（図３参照）。ビームフレーム部材21は、トラス骨格40を構成する部材として機能するとともに、図４および図５に示すように、２階の床梁を受ける横木としても機能する。この点を考慮して、本実施の形態では、ビームフレーム部材21の高さを、他のフレーム部材20の高さよりも高くしている。
また、後で詳しく説明するが、ビームフレーム部材21を２階の床梁を受ける横木としても機能させるべく、その高さを他のフレーム部材20の高さよりも高くするために、第４構造部14と第５構造部15との境界線上に設けられるコネクタ30（ビームコネクタ32）の形状も、従来のドーム状建築物10のそれとは異なる形状にしている。
【００３７】
なお、従来のドーム状建築物10では、第４構造部14と第５構造部15との境界線上に設けられるコネクタ30に、横木ハンガーと呼ばれる金物を固定し、また、第４構造部14と第５構造部15との境界線上のフレーム部材20の内側に、これと平行に横木を設けるとともに、この横木の両端を横木ハンガーでそれぞれ支え、そして、この横木で２階の床梁を受けるようにしていた（特許第２６０１７２５号公報の図２０〜図２９参照）。
一方、上述したように、本実施の形態では、ビームフレーム部材21は、トラス骨格40を構成する部材として機能するとともに、２階の床梁を受ける横木としても機能する。これにより、本実施の形態では、部材の簡素化を図り、また、室内に横木が突出しないようにして見栄えをよくしている。
【００３８】
（ベースコネクタ31）
上述したように、ベースコネクタ31は、第５構造部15の下端に設けられるコネクタ30である（図３参照）。ベースコネクタ31は、コネクタ30の端部同士を連結するための部材として機能するとともに、トラス骨格40を基礎に接合するための部材としても機能する。
図６および図７に示すように、ベースコネクタ31は、筒状のハブ30aと、ハブ30aの一方の端部に設けられた平板状の補強平板部30dと、ハブ30aの外周面から外方へ向けて放射状に突出する平板状の４枚のアーム30bとを有している。また、ベースコネクタ31は、建築用の鋼材を用いて形成されている。
【００３９】
また、図６および図７に示すように、ハブ30aは、基礎の上面に安定して載置可能となるように、その一部を平坦にすることにより形成された底部を有している。また、ハブ30aの底部のほぼ中央には、基礎の上面から上方へ向けて突出するアンカーボルトを挿通させるためのアンカー挿通孔30eが１つ設けられている。基礎の上面から上方へ向けて突出するアンカーボルトをアンカー挿通孔30eに通し、ハブ30aの底面を基礎の上面に当接させ、この状態で、アンカーボルトにナットを螺合させる。このようにして、ベースコネクタ31を基礎に接合する。また、ナットの螺合作業は、補強平板部30dとは反対側のハブ30aの端部開口を通じて行えるようにしてある。
【００４０】
また、図６および図７に示すように、補強平板部30dは、ハブ30aの底部に対応する部分を除いた周縁部分がハブ30aの外周面よりも外方へ突出し、この突出する部分が鍔部となっている。また、ハブ30aと補強平板部30dとは、溶接により接合されている。
また、図６および図７に示すように、アーム30bは、ベースコネクタ31が配置される三角形の頂点に集まるフレーム部材20と同じ数だけ設けられている。ベースコネクタ31が配置される三角形の頂点には、４本のフレーム部材20が集まる。このため、アーム30bは、４枚設けられている。また、各アーム30bは、各フレーム部材20と１対１に対応する。つまり、１枚のアーム30bに、１本のフレーム部材20が接合される。また、各アーム30bは、その端部を、ハブ30aの外周面と補強平板部30dの鍔部との双方に溶接により接合されている。これにより、１本のフレーム部材20を１枚のアーム30bで支持するのに十分な強度を発揮するようにしている。また、アーム30bの表面にフレーム部材20の側面を沿わせた状態でアーム30bとフレーム部材20とを接合できるように、各アーム30bは、対応するフレーム部材20の軸線位置からオフセットした位置に配置されている。また、各アーム30bには、２つのボルト挿通孔が設けられているとともに、各フレーム部材20の端部付近にも２つのボルト挿通孔が設けられている。そして、アーム30bの表面にフレーム部材20の側面を沿わせ、アーム30bの両ボルト挿通孔とフレーム部材20の両ボルト挿通孔とを一致させ、この状態で、各ボルト挿通孔にそれぞれボルトを通し、両ボルトにそれぞれナットを螺合させる。このようにして、各アーム30bと各フレーム部材20とを接合する。
【００４１】
なお、従来のドーム状建築物10では、第５構造部15の下端に設けられるコネクタ30は、２つの部材から構成され、また、２つのアンカー挿通孔30eにそれぞれ通した２本のアンカーボルトで基礎に接合されていた。また、ほぼ水平方向に突出するアーム30bの下方に、アンカーボルトが突出していたことから、基礎の上面から第５構造部15の下端のフレーム部材20までの距離が比較的大きくなっていた。また、２枚一組のアーム30bの間にフレーム部材20の端部を挿入し、これらをボルトおよびナットで接合していた（特公平７−９１８６４号公報参照）。
一方、上述したように、本実施の形態では、ベースコネクタ31は、１つの部材で構成されている。これにより、部材の簡素化を図り、また、２つの部材を組み立てなくても済むようにして、施工性を向上させている。また、本実施の形態では、ベースコネクタ31は、１本のアンカーボルトで基礎に接合される。従来のように２つのアンカー挿通孔30eの間隔にあわせて２本のアンカーボルトを基礎に設ける作業は容易ではないが、本実施の形態では、１個のベースコネクタ31につき１本のアンカーボルトを基礎に設ければよく、これにより、基礎の施工を比較的容易にし、また、ベースコネクタ31を基礎に接合する作業も比較的容易にしている。また、本実施の形態では、ハブ30a内にアンカーボルトが突出するようにし、これにより、ほぼ水平方向に突出するアーム30bの位置を下げて、基礎の上面から第５構造部15の下端のフレーム部材20までの距離を比較的小さくし、ひいてはドーム状建築物10の強度や安定性を向上させている。また、従来のように２枚一組のアーム30bの間にフレーム部材20の端部を挿入し、これらをボルトおよびナットで接合する作業は容易ではないが、本実施の形態では、アーム30bの表面にフレーム部材20の側面を沿わせて、これらをボルトおよびナットで接合すればよく、これにより、フレーム部材20を接合する作業を比較的容易にしている。更に、本実施の形態では、各アーム30bの端部をハブ30aの外周面と補強平板部30dの鍔部との双方に溶接しており、これにより、１本のフレーム部材20を１枚のアーム30bで支持するのに十分な強度を発揮するようにしている。
【００４２】
（ビームコネクタ32）
上述したように、ビームコネクタ32は、第４構造部14と第５構造部15との境界線上に設けられるコネクタ30である（図３参照）。
図８に示すように、ビームコネクタ32は、円筒状のハブ30aと、ハブ30aの一方の端部に設けられた平板状の補強平板部30dと、ロングフレーム部材22を接合するためのものであって、ハブ30aの外周面から外方へ向けて突出する平板状の２枚のロング用アーム30fと、ビームフレーム部材21を接合するためのものであって、ハブ30aの外周面から外方へ向けて突出する平板状の２枚のビーム用アーム30cと、ロングフレーム部材22およびビームフレーム部材21以外のフレーム部材20を接合するためのものであって、ハブ30aの外周面から外方へ向けて突出する平板状の２枚のアーム30bとを有している。また、ビームコネクタ32は、建築用の鋼材を用いて形成されている。
【００４３】
また、図８に示すように、補強平板部30dの周縁部分は、ハブ30aの外周面よりも外方へ突出し、この突出する部分が鍔部となっている。また、ハブ30aと補強平板部30dとは、溶接により接合されている。
また、図８に示すように、ロング用アーム30fは、ビームコネクタ32が配置される三角形の頂点に集まるロングフレーム部材22と同じ数だけ設けられている。ビームコネクタ32が配置される三角形の頂点には、２本のロングフレーム部材22が集まる。このため、ロング用アーム30fは、２枚設けられている。また、各ロング用アーム30fは、各ロングフレーム部材22と１対１に対応する。つまり、１枚のロング用アーム30fに、１本のロングフレーム部材22が接合される。また、各ロング用アーム30fは、その端部を、ハブ30aの外周面と補強平板部30dの鍔部との双方に溶接により接合されている。これにより、１本のロングフレーム部材22を１枚のロング用アーム30fで支持するのに十分な強度を発揮するようにしている。また、ロング用アーム30fの表面にロングフレーム部材22の側面を沿わせた状態でロング用アーム30fとロングフレーム部材22とを接合できるように、各ロング用アーム30fは、対応するロングフレーム部材22の軸線位置からオフセットした位置に配置されている。また、各ロング用アーム30fには、２つのボルト挿通孔が設けられているとともに、各ロングフレーム部材22の端部付近にも２つのボルト挿通孔が設けられている。そして、ロング用アーム30fの表面にロングフレーム部材22の側面を沿わせ、ロング用アーム30fの両ボルト挿通孔とロングフレーム部材22の両ボルト挿通孔とを一致させ、この状態で、各ボルト挿通孔にそれぞれボルトを通し、両ボルトにそれぞれナットを螺合させる。このようにして、各ロング用アーム30fと各ロングフレーム部材22とを接合する。
【００４４】
また、図８に示すように、ビーム用アーム30cは、ビームコネクタ32が配置される三角形の頂点に集まるビームフレーム部材21と同じ数だけ設けられている。ビームコネクタ32が配置される三角形の頂点には、２本のビームフレーム部材21が集まる。このため、ビーム用アーム30cは、２枚設けられている。また、各ビーム用アーム30cは、各ビームフレーム部材21と１対１に対応する。つまり、１枚のビーム用アーム30cに、１本のビームフレーム部材21が接合される。また、ビーム用アーム30cは、ロング用アーム30fとはほぼ直交するような向きとされている。また、各ビーム用アーム30cは、その端部を、ハブ30aの外周面とロング用アーム30fとの双方に溶接により接合されている。これにより、１本のビームフレーム部材21を１枚のビーム用アーム30cで支持するのに十分な強度を発揮するようにしている。また、図示しないが、ビームフレーム部材21の端部には、高さ方向に延びる嵌合溝が形成されている。また、ビーム用アーム30cがビームフレーム部材21の嵌合溝内に挿入された状態でビーム用アーム30cとビームフレーム部材21とを接合できるように、各ビーム用アーム30cは、対応するビームフレーム部材21の軸線上に配置されている。また、各ビーム用アーム30cには、２つのボルト挿通孔が設けられているとともに、各ビームフレーム部材21の端部付近にも２つのボルト挿通孔が設けられている。そして、ビーム用アーム30cをビームフレーム部材21の嵌合溝内に挿入し、ビーム用アーム30cの両ボルト挿通孔とビームフレーム部材21の両ボルト挿通孔とを一致させ、この状態で、各ボルト挿通孔にそれぞれボルトを通し、両ボルトにそれぞれナットを螺合させる。このようにして、各ビーム用アーム30cと各ビームフレーム部材21とを接合する。
【００４５】
また、図８に示すように、アーム30bは、ビームコネクタ32が配置される三角形の頂点に集まる、ロングフレーム部材22およびビームフレーム部材21以外のフレーム部材20と同じ数だけ設けられている。ビームコネクタ32が配置される三角形の頂点には、ロングフレーム部材22およびビームフレーム部材21以外のフレーム部材20は、２本集まる。このため、アーム30bは、２枚設けられている。また、各アーム30bは、各フレーム部材20と１対１に対応する。つまり、１枚のアーム30bに、１本のフレーム部材20が接合される。また、各アーム30bは、その端部を、ハブ30aの外周面と補強平板部30dの鍔部との双方に溶接により接合されている。これにより、１本のフレーム部材20を１枚のアーム30bで支持するのに十分な強度を発揮するようにしている。また、アーム30bの表面にフレーム部材20の側面を沿わせた状態でアーム30bとフレーム部材20とを接合できるように、各アーム30bは、対応するフレーム部材20の軸線位置からオフセットした位置に配置されている。また、各アーム30bには、２つのボルト挿通孔が設けられているとともに、各フレーム部材20の端部付近にも２つのボルト挿通孔が設けられている。そして、アーム30bの表面にフレーム部材20の側面を沿わせ、アーム30bの両ボルト挿通孔とフレーム部材20の両ボルト挿通孔とを一致させ、この状態で、各ボルト挿通孔にそれぞれボルトを通し、両ボルトにそれぞれナットを螺合させる。このようにして、各アーム30bと各フレーム部材20とを接合する。
【００４６】
なお、従来のドーム状建築物10では、２枚一組のアーム30bの間にフレーム部材20の端部を挿入し、これらをボルトおよびナットで接合していた（特許第２６０１７２５号公報の図２１、図２２および図２９参照）。２枚一組のアーム30bの間にフレーム部材20の端部を挿入し、これらをボルトおよびナットで接合する作業は容易ではないが、本実施の形態では、アーム30bの表面にフレーム部材20の側面を沿わせて、これらをボルトおよびナットで接合すればよく、これにより、フレーム部材20を接合する作業を比較的容易にしている。更に、本実施の形態では、各アーム30bの端部をハブ30aの外周面と補強平板部30dの鍔部との双方に溶接しており、これにより、１本のフレーム部材20を１枚のアーム30bで支持するのに十分な強度を発揮するようにしている。この点は、ベースコネクタ31と同様である。
【００４７】
また、本実施の形態では、ビーム用アーム30cの向きを、ロング用アーム30fとはほぼ直交するような向きとし、これにより、他のフレーム部材20よりも高さが高いビームフレーム部材21を接合できるようにし、更には、高さが異なる何種類ものビームフレーム部材21に対しても設計変更することなく同一のビームコネクタ32で対応可能としている。更に、本実施の形態では、各ビーム用アーム30cの端部をハブ30aの外周面とロング用アーム30fとの双方に溶接しており、これにより、１本のビームフレーム部材21を１枚のビーム用アーム30cで支持するのに十分な強度を発揮するようにしている。
（５アームコネクタ33）
上述したように、５アームコネクタ33は、ベースコネクタ31およびビームコネクタ32以外のコネクタ30であって、５本のフレーム部材20の端部が集まる位置（５個の三角形の頂点が集まる位置）に設けられるコネクタ30である（図３参照）。
【００４８】
図９に示すように、５アームコネクタ33は、円筒状のハブ30aと、ハブ30aの一方の端部に設けられた平板状の補強平板部30dと、フレーム部材20を接合するためのものであって、ハブ30aの外周面から外方へ向けて突出する平板状の５枚のアーム30bとを有している。また、５アームコネクタ33は、建築用の鋼材を用いて形成されている。
また、図９に示すように、補強平板部30dの周縁部分は、ハブ30aの外周面よりも外方へ突出し、この突出する部分が鍔部となっている。また、ハブ30aと補強平板部30dとは、溶接により接合されている。
また、図９に示すように、アーム30bは、５アームコネクタ33が配置される三角形の頂点に集まるフレーム部材20と同じ数だけ設けられている。５アームコネクタ33が配置される三角形の頂点には、５本のフレーム部材20が集まる。このため、アーム30bは、５枚設けられている。また、各アーム30bは、各フレーム部材20と１対１に対応する。つまり、１枚のアーム30bに、１本のフレーム部材20が接合される。また、各アーム30bは、その端部を、ハブ30aの外周面と補強平板部30dの鍔部との双方に溶接により接合されている。これにより、１本のフレーム部材20を１枚のアーム30bで支持するのに十分な強度を発揮するようにしている。また、アーム30bの表面にフレーム部材20の側面を沿わせた状態でアーム30bとフレーム部材20とを接合できるように、各アーム30bは、対応するフレーム部材20の軸線位置からオフセットした位置に配置されている。また、各アーム30bには、２つのボルト挿通孔が設けられているとともに、各フレーム部材20の端部付近にも２つのボルト挿通孔が設けられている。そして、アーム30bの表面にフレーム部材20の側面を沿わせ、アーム30bの両ボルト挿通孔とフレーム部材20の両ボルト挿通孔とを一致させ、この状態で、各ボルト挿通孔にそれぞれボルトを通し、両ボルトにそれぞれナットを螺合させる。このようにして、各アーム30bと各フレーム部材20とを接合する。
【００４９】
なお、従来のドーム状建築物10では、２枚一組のアーム30bの間にフレーム部材20の端部を挿入し、これらをボルトおよびナットで接合していた（特許第２６０１７２５号公報の図６および図１１参照）。２枚一組のアーム30bの間にフレーム部材20の端部を挿入し、これらをボルトおよびナットで接合する作業は容易ではないが、本実施の形態では、アーム30bの表面にフレーム部材20の側面を沿わせて、これらをボルトおよびナットで接合すればよく、これにより、フレーム部材20を接合する作業を比較的容易にしている。更に、本実施の形態では、各アーム30bの端部をハブ30aの外周面と補強平板部30dの鍔部との双方に溶接しており、これにより、１本のフレーム部材20を１枚のアーム30bで支持するのに十分な強度を発揮するようにしている。この点は、ベースコネクタ31やビームコネクタ32と同様である。
【００５０】
（６アームコネクタ34）
上述したように、６アームコネクタ34は、ベースコネクタ31およびビームコネクタ32以外のコネクタ30であって、６本のフレーム部材20の端部が集まる位置（５個の三角形の頂点が集まる位置）に設けられるコネクタ30である（図３参照）。
図１０に示すように、６アームコネクタ34は、円筒状のハブ30aと、ハブ30aの一方の端部に設けられた平板状の補強平板部30dと、フレーム部材20を接合するためのものであって、ハブ30aの外周面から外方へ向けて突出する平板状の６枚のアーム30bとを有している。また、６アームコネクタ34は、建築用の鋼材を用いて形成されている。
【００５１】
また、図１０に示すように、補強平板部30dの周縁部分は、ハブ30aの外周面よりも外方へ突出し、この突出する部分が鍔部となっている。また、ハブ30aと補強平板部30dとは、溶接により接合されている。
また、図１０に示すように、アーム30bは、６アームコネクタ34が配置される三角形の頂点に集まるフレーム部材20と同じ数だけ設けられている。６アームコネクタ34が配置される三角形の頂点には、６本のフレーム部材20が集まる。このため、アーム30bは、６枚設けられている。また、各アーム30bは、各フレーム部材20と１対１に対応する。つまり、１枚のアーム30bに、１本のフレーム部材20が接合される。また、各アーム30bは、その端部を、ハブ30aの外周面と補強平板部30dの鍔部との双方に溶接により接合されている。これにより、１本のフレーム部材20を１枚のアーム30bで支持するのに十分な強度を発揮するようにしている。また、アーム30bの表面にフレーム部材20の側面を沿わせた状態でアーム30bとフレーム部材20とを接合できるように、各アーム30bは、対応するフレーム部材20の軸線位置からオフセットした位置に配置されている。また、各アーム30bには、２つのボルト挿通孔が設けられているとともに、各フレーム部材20の端部付近にも２つのボルト挿通孔が設けられている。そして、アーム30bの表面にフレーム部材20の側面を沿わせ、アーム30bの両ボルト挿通孔とフレーム部材20の両ボルト挿通孔とを一致させ、この状態で、各ボルト挿通孔にそれぞれボルトを通し、両ボルトにそれぞれナットを螺合させる。このようにして、各アーム30bと各フレーム部材20とを接合する。
【００５２】
なお、従来のドーム状建築物10では、２枚一組のアーム30bの間にフレーム部材20の端部を挿入し、これらをボルトおよびナットで接合していた（特許第２６０１７２５号公報の図３、図４および図９参照）。２枚一組のアーム30bの間にフレーム部材20の端部を挿入し、これらをボルトおよびナットで接合する作業は容易ではないが、本実施の形態では、アーム30bの表面にフレーム部材20の側面を沿わせて、これらをボルトおよびナットで接合すればよく、これにより、フレーム部材20を接合する作業を比較的容易にしている。更に、本実施の形態では、各アーム30bの端部をハブ30aの外周面と補強平板部30dの鍔部との双方に溶接しており、これにより、１本のフレーム部材20を１枚のアーム30bで支持するのに十分な強度を発揮するようにしている。この点は、ベースコネクタ31やビームコネクタ32、５アームコネクタ33と同様である。
【００５３】
（中心柱部材50）
図４および図５に示すように、中心柱部材50は、トラス骨格40の中心に立設され、かつ、上端が少なくとも第４構造部14と第５構造部15との境界線の高さまで至る柱部材である。
本実施の形態では、中心柱部材50の上端は、第４構造部14と第５構造部15との境界線の高さに位置している。つまり、本実施の形態では、中心柱部材50の高さは、第５構造部15の高さと同じ高さである。
また、本実施の形態では、中心柱部材50は、建築用の鋼管を用いて形成されている。また、図１１に示すように、本実施の形態では、中心柱部材50の下端には、四角平板状のベースプレート51が溶接により接合されている。また、ベースプレート51は、図示しないが、アンカーボルトで基礎に接合される。このようにして、本実施の形態では、中心柱部材50は、トラス骨格40の中心に立設されている。
【００５４】
（中心梁受部材60）
図４および図５に示すように、中心梁受部材60は、中心柱部材50における、第４構造部14と第５構造部15との境界線の高さに対応する位置に固定される梁受部材である。
上述したように、本実施の形態では、中心柱部材50の高さは、第５構造部15の高さと同じである。このため、本実施の形態では、中心梁受部材60は、中心柱部材50の上端に固定されている。
また、本実施の形態では、中心梁受部材60は、建築用の鋼材を用いて形成されている。また、本実施の形態では、中心梁受部材60は、中心柱部材50の上端に溶接により接合されている。
【００５５】
また、図１２（Ａ）および（Ｂ）に示すように、本実施の形態では、中心梁受部材60は、円形平板状に形成されている円盤部61と、円盤部61の上面中心から上方へ向けて突出する円筒状の円筒部62と、円盤部61の上面に円盤部61の中心から見て放射状に設けられている台形平板状の１０枚の放射フィン63とを有している。
また、円筒部62は、その下端を円盤部61の上面に溶接により接合されている。
また、各放射フィン63は、その端部を円盤部61の上面と円筒部62の外周面との双方に溶接により接合されている。また、図１２（Ａ）に示すように、１０枚の放射フィン63は、等間隔で設けられている。隣り合う放射フィン63同士がなす角度は、３６度である。
【００５６】
また、円盤部61の外周縁付近であって、各放射フィン63の両側に相当する位置には、円盤部61を上下に貫通するボルト挿通孔が設けられている。本実施の形態では、ボルト挿通孔は、合計２０個設けられている。
（第１梁受部材71）
図４および図５に示すように、第１梁受部材71は、ビームフレーム部材21の中間位置に固定可能に形成される梁受部材である。
本実施の形態では、第１梁受部材71は、建築用の鋼材を用いて形成されている。
また、図１３（Ａ）、（Ｂ）および（Ｃ）に示すように、本実施の形態では、第１梁受部材71は、第１梁部材81の端部を受けるための梁端受部70aと、ビームフレーム部材21に固定するためのフック部70eとを有している。
【００５７】
また、図１３（Ａ）、（Ｂ）および（Ｃ）に示すように、梁端受部70aは、鉛直方向へ向けて延びる四角平板状の背板部70bと、背板部70bの下端から水平方向へ向けて延びる四角平板状の受板部70cと、背板部70bおよび受板部70cの双方と直交し、一端を背板部70bの幅方向の中間位置に、下端を受板部70cの幅方向の中間位置にそれぞれ接合されている四角平板状の係止フィン70dとを有している。また、背板部70bと受板部70cとは溶接により接合され、また、係止フィン70dは、その端部を背板部70bおよび受板部70cの双方に溶接により接合されている。また、受板部70cにおける、係止フィン70dの両側に相当する位置には、ボルト挿通孔が設けられている。
【００５８】
また、図１３（Ａ）、（Ｂ）および（Ｃ）に示すように、フック部70eは、背板部70bの上端から受板部70cとは反対側の水平方向へ向けて延びる四角平板状のフック天板70fと、フック天板70fの先端から下方へ向けて延びる四角平板状のフック背板70gとを有している。また、背板部70bとフック天板70fとは溶接により接合され、また、フック天板70fとフック背板70gとも溶接により接合されている。また、フック天板70fには、２つのビス孔が横並びに設けられている。
そして、図１４に示すように、フック部70eをビームフレーム部材21の中間位置に引っ掛け、この状態で両ビス孔に通したビスでフック部70eとビームフレーム部材21とを固定する。このようにして、ビームフレーム部材21の中間位置に第１梁受部材71を固定する。
【００５９】
（第２梁受部材72）
図４および図５に示すように、第２梁受部材72は、ビームコネクタ32に固定可能に形成される梁受部材である。
本実施の形態では、第１梁受部材71は、建築用の鋼材を用いて形成されている。
また、図１５（Ａ）、（Ｂ）および（Ｃ）に示すように、本実施の形態では、第２梁受部材72は、第２梁部材82の端部を受けるための梁端受部70aと、ビームコネクタ32に固定するための連結パイプ部70hとを有している。
また、図１５（Ａ）、（Ｂ）および（Ｃ）に示すように、梁端受部70aは、鉛直方向へ向けて延びる四角平板状の背板部70bと、背板部70bの下端から水平方向へ向けて延びる四角平板状の受板部70cと、背板部70bおよび受板部70cの双方と直交し、一端を背板部70bの幅方向の中間位置に、下端を受板部70cの幅方向の中間位置にそれぞれ接合されている四角平板状の係止フィン70dとを有している。また、背板部70bと受板部70cとは溶接により接合され、また、係止フィン70dは、その端部を背板部70bおよび受板部70cの双方に溶接により接合されている。また、受板部70cにおける、係止フィン70dの両側に相当する位置には、ボルト挿通孔が設けられている。
【００６０】
また、図１５（Ａ）、（Ｂ）および（Ｃ）に示すように、連結パイプ部70hは、円筒状に形成されており、背板部70bにおける、係止フィン70dが設けられている面とは反対側の面からやや斜め上方へ向けて延びている。また、背板部70bと連結パイプ部70hとは溶接により接合されている。
そして、図１６に示すように、第２梁受部材72の連結パイプ部70hをビームコネクタ32のハブ30a内に挿入する。図示しないが、連結パイプ部70hの所定位置には、ピン挿通孔が設けられ、また、ビームコネクタ32のハブ30aの所定位置にも、ピン挿通孔が設けられている。第２梁受部材72の連結パイプ部70hをビームコネクタ32のハブ30a内に所定の向き・角度で所定位置まで挿入すると、連結パイプ部70hに設けたピン挿通孔とハブ30aに設けたピン挿通孔とが一致する。この状態で、ピン挿通孔にピンを通し、第２梁受部材72をビームコネクタ32に固定する。
【００６１】
（第１梁部材81）
図４および図５に示すように、第１梁部材81は、中心柱部材50における、第４構造部14と第５構造部15との境界線の高さに対応する位置からビームフレーム部材21の中間位置まで至る長さに形成されている梁部材であって、一端を中心梁受部材60に、他端を第１梁受部材71に、それぞれ固定可能に形成されている梁部材である。
上述したように、本実施の形態では、中心柱部材50の高さは、第５構造部15の高さと同じである。このため、本実施の形態では、第１梁部材81は、中心柱部材50の上端からビームフレーム部材21の中間位置まで至る長さに形成されている。
【００６２】
また、図示しないが、第１梁部材81の中心柱部材50側の端部には、高さ方向に延びる第１柱側嵌合溝が形成され、また、第１梁部材81のビームフレーム部材21側の端部には、高さ方向に延びるビーム側嵌合溝が形成されている。
そして、第１梁部材81の第１柱側嵌合溝内に中心梁受部材60の放射フィン63を挿入しつつ、第１梁部材81の中心柱部材50側の端部を中心梁受部材60の円盤部61の上に載置し、この状態で、円盤部61の下面側から両ボルト挿通孔にそれぞれボルトを通し、これらを第１梁部材81に留める。このようにして、第１梁部材81の一端を中心梁受部材60に固定する。
また、第１梁部材81のビーム側嵌合溝内に第１梁受部材71の係止フィン70dを挿入しつつ、第１梁部材81のビームフレーム部材21側の端部を第１梁受部材71の受板部70cの上に載置し、この状態で、受板部70cの下面側から両ボルト挿通孔にそれぞれボルトを通し、これらを第１梁部材81に留める。このようにして、第１梁部材81の一端を第１梁受部材71に固定する。
【００６３】
（第２梁部材82）
図４および図５に示すように、第２梁部材82は、中心柱部材50における、第４構造部14と第５構造部15との境界線の高さに対応する位置からビームコネクタ32まで至る長さに形成されている梁部材であって、一端を中心梁受部材60に、他端を第２梁受部材72に、それぞれ固定可能に形成されている梁部材である。
上述したように、本実施の形態では、中心柱部材50の高さは、第５構造部15の高さと同じである。このため、本実施の形態では、第２梁部材82は、中心柱部材50の上端からビームコネクタ32まで至る長さに形成されている。
【００６４】
また、図示しないが、第２梁部材82の中心柱部材50側の端部には、高さ方向に延びる第２柱側嵌合溝が形成され、また、第２梁部材82のビームコネクタ32側の端部には、高さ方向に延びるコネクタ側嵌合溝が形成されている。
そして、第２梁部材82の第２柱側嵌合溝内に中心梁受部材60の放射フィン63を挿入しつつ、第２梁部材82の中心柱部材50側の端部を中心梁受部材60の円盤部61の上に載置し、この状態で、円盤部61の下面側から両ボルト挿通孔にそれぞれボルトを通し、これらを第２梁部材82に留める。このようにして、第２梁部材82の一端を中心梁受部材60に固定する。
また、第２梁部材82のコネクタ側嵌合溝内に第２梁受部材72の係止フィン70dを挿入しつつ、第２梁部材82のビームコネクタ32側の端部を第２梁受部材72の受板部70cの上に載置し、この状態で、受板部70cの下面側から両ボルト挿通孔にそれぞれボルトを通し、これらを第２梁部材82に留める。このようにして、第２梁部材82の一端を第２梁受部材72に固定する。
【００６５】
（第１梁受部材71、第２梁受部材72、第１梁部材81、および第２梁部材82の配置）
図５に示すように、本実施の形態では、１６個のビームコネクタ32と、１６本のビームフレーム部材21と、５個の第１梁受部材71と、５個の第２梁受部材72と、５本の第１梁部材81と、５本の第２梁部材82とが備えられている。
ここで、１のビームコネクタ32を第１ビームコネクタ32とし、上から見て（平面視で）その右隣のものから時計回りに順番に、第２ビームコネクタ32、第３ビームコネクタ32、第４ビームコネクタ32、第５ビームコネクタ32、第６ビームコネクタ32、第７ビームコネクタ32、第８ビームコネクタ32、第９ビームコネクタ32、第１０ビームコネクタ32、第１１ビームコネクタ32、第１２ビームコネクタ32、第１３ビームコネクタ32、第１４ビームコネクタ32、第１５ビームコネクタ32、第１６ビームコネクタ32とする。
【００６６】
また、第１ビームコネクタ32と第２ビームコネクタ32との間に設けられるビームフレーム部材21を第１ビームフレーム部材21とし、上から見て（平面視で）その右隣のものから時計回りに順番に、第２ビームフレーム部材21、第３ビームフレーム部材21、第４ビームフレーム部材21、第５ビームフレーム部材21、第６ビームフレーム部材21、第７ビームフレーム部材21、第８ビームフレーム部材21、第９ビームフレーム部材21、第１０ビームフレーム部材21、第１１ビームフレーム部材21、第１２ビームフレーム部材21、第１３ビームフレーム部材21、第１４ビームフレーム部材21、第１５ビームフレーム部材21、第１６ビームフレーム部材21とする。
【００６７】
１の第２梁受部材72を、第１ビームコネクタ32に固定するとする。そうすると、残りの４の第２梁受部材72は、第４ビームコネクタ32、第７ビームコネクタ32、第１０ビームコネクタ32、第１３ビームコネクタ32にそれぞれ固定される。また、第１梁受部材71は、第２ビームフレーム部材21、第５ビームフレーム部材21、第８ビームフレーム部材21、第１１ビームフレーム部材21、第１４ビームフレーム部材21にそれぞれ固定される。
そして、図５に示すように、中心梁受部材60と各第１梁受部材71との間にそれぞれ第１梁部材81が架け渡され、また、中心梁受部材60と各第２梁受部材72との間にそれぞれ第２梁部材82が架け渡される。このようにして、第１梁部材81と第２梁部材82とが交互に、中心梁受部材60から見て放射状に、架け渡される。また、１の第１梁部材81とこれに隣接する第２梁部材82とがなす角度は、３６度である。
【００６８】
更に、図５に示すように、本実施の形態では、第１梁部材81および第２梁部材82の上に多数の根太90を環状に架け渡している。本実施の形態では、各根太90の中間位置を１の第２梁部材82で支持し、各根太90の両端を当該第２梁部材82の両側に隣接する各第１梁部材81でそれぞれ支持するようにしている。なお、各根太90の中間位置を１の第１梁部材81で支持し、各根太90の両端を当該第１梁部材81の両側に隣接する各第２梁部材82でそれぞれ支持するようにしてもよい。そして、本実施の形態では、このように環状に架け渡した多数の根太90の上に２階の床の下地材を張り、その上に２階の床の仕上げ材を張っている。なお、図５中の開口は、階段用の吹抜97である。
【００６９】
（変形例）
図１７に示すように、例えば、中心角が１０８度の扇形の吹抜97を設けたい場合には、図１８に示すように、吹抜97に対応する部分を切り欠いた形状の中心梁受部材60を用いることができる。
また、図１９に示すように、例えば、半円形の吹抜97を設けたい場合には、図２０に示すように、吹抜97に対応する部分を切り欠いた半円形の中心梁受部材60を用いることができる。
このように、吹抜97の形状にあわせて種々の中心梁受部材60を設けることにより、設計の自由度をより一層向上させることができる。
【００７０】
以上説明したように、本実施の形態では、第１構造部11、第２構造部12、第３構造部13および第４構造部14を構成する各三角形が、半径Ｒ（Ｒは定数）の同一の球に内接し、かつ、第５構造部15を構成する各三角形が、半径Ｒ（Ｒは定数）の同一の球に内接し、かつ、第５構造部15を構成する各三角形が、半径Ｒ×０．９８５かつ高さＲ×Ａ（Ａは定数、かつ、Ａ＞０．３４４）の同一の円柱に内接するように、各フレーム部材20および各コネクタ30を形成した。具体的には、Ｒ＝４．８（メートル）とし、Ａ＝０．５５４とした。そして、上記の条件を満たすように、各フレーム部材20および各コネクタ30を形成した。これにより、直径が約９．５メートルと比較的小さくても、第５構造部15の高さが約２．７メートルと比較的高い、ドーム状のトラス骨格40を得ることができた。このため、２階建てにするにあたって十五角形の布基礎や筒状構造物を構築しなくても済むことから、施工を比較的容易にすることができ、また、構造躯体がすべて三角形の基本骨格で構成されることから、軽量かつ高強度のドームの特長が十分に発揮されるドーム状建築物10を得ることができた。
【００７１】
なお、例えば、Ｒ＝６．０（メートル）とし、Ａ＝０．４３４とする。そうすると、Ｒ×０．９８５＝５．９１となり、Ｒ×Ａ＝２．６０４となる。そして、上記の条件を満たすように、各フレーム部材20および各コネクタ30を形成し、これらを組み立てる。そうすると、直径が約１２メートル、第５構造部15の高さが約２．６メートルのドーム状のトラス骨格40を得ることができる。これにより、直径が約１２ｍの２階建てのドーム状建築物10を建てることができる。
また、例えば、Ｒ＝４．０（メートル）とし、Ａ＝０．６５とする。そうすると、Ｒ×０．９８５＝３．９４となり、Ｒ×Ａ＝２．６となる。そして、上記の条件を満たすように、各フレーム部材20および各コネクタ30を形成し、これらを組み立てる。そうすると、直径が約７．９メートル、第５構造部15の高さが２．６メートルのドーム状のトラス骨格40を得ることができる。これにより、直径が約７．９ｍの２階建てのドーム状建築物10を建てることができる。
【００７２】
また、本実施の形態では、トラス骨格40の中心に中心柱部材50を立設し、この中心柱部材50に中心梁受部材60を設け、ビームフレーム部材21の中間位置に固定可能な複数の第１梁受部材71と、ビームコネクタ32に固定可能な複数の第２梁受部材72と、一端を中心梁受部材60に他端を第１梁受部材71に固定可能な複数の第１梁部材81と、一端を中心梁受部材60に他端を第２梁受部材72に固定可能な複数の第２梁部材82とを備えた。これにより、中心柱部材50とビームフレーム部材21の中間位置およびビームコネクタ32との間に、複数の第１梁部材81および第２梁部材82を放射状に架け渡すことができ、更には放射状に架け渡した第１梁部材81および第２梁部材82で２階の床を支えることができた。このため、１階の間取りに基づいて位置を決めた柱で２階の床梁を支えなくても済むので、中心柱部材50を移動させたり無くしたりすることはできないものの、２階の床を壊すことなく１階の間取りを自由に変更でき、更には１階の間取りと２階の床との関係が切り離され、設計の自由度を高めることができた。
【図面の簡単な説明】
【００７３】
【図１】本発明の実施の形態に係るドーム状建築物の正面図。
【図２】本発明の実施の形態に係るドーム状建築物の平面図。
【図３】本発明の実施の形態に係るドーム状建築物のトラス骨格の斜視図。
【図４】本発明の実施の形態に係るドーム状建築物の中心柱部材、中心梁受部材、第１梁受部材、第２梁受部材、第１梁部材および第２梁部材の配置を示す正面図。
【図５】本発明の実施の形態に係るドーム状建築物の中心柱部材、中心梁受部材、第１梁受部材、第２梁受部材、第１梁部材および第２梁部材の配置を示す平面図。
【図６】本発明の実施の形態に係るドーム状建築物のベースコネクタの斜視図。
【図７】本発明の実施の形態に係るドーム状建築物のベースコネクタの斜視図。
【図８】本発明の実施の形態に係るドーム状建築物のビームコネクタの斜視図。
【図９】本発明の実施の形態に係るドーム状建築物の５アームコネクタの斜視図。
【図１０】本発明の実施の形態に係るドーム状建築物の６アームコネクタの斜視図。
【図１１】本発明の実施の形態に係るドーム状建築物の中心柱部材の正面図およびＡ−Ａ線断面図。
【図１２】本発明の実施の形態に係るドーム状建築物の中心梁受部材の平面図およびＢ−Ｂ線断面図。
【図１３】本発明の実施の形態に係るドーム状建築物の第１梁受部材の３面図。
【図１４】図４のＡ部拡大図であって、本発明の実施の形態に係るドーム状建築物の第１梁受部材の使用状態を示す側面図。
【図１５】本発明の実施の形態に係るドーム状建築物の第２梁受部材の３面図。
【図１６】図４のＢ部拡大図であって、本発明の実施の形態に係るドーム状建築物の第２梁受部材の使用状態を示す側面図。
【図１７】本発明の実施の形態に係るドーム状建築物の中心柱部材、中心梁受部材、第１梁受部材、第２梁受部材、第１梁部材および第２梁部材の配置の変形例を示す平面図。
【図１８】本発明の実施の形態に係るドーム状建築物の中心梁受部材の変形例を示す平面図。
【図１９】本発明の実施の形態に係るドーム状建築物の中心柱部材、中心梁受部材、第１梁受部材、第２梁受部材、第１梁部材および第２梁部材の配置の変形例を示す平面図。
【図２０】本発明の実施の形態に係るドーム状建築物の中心梁受部材の変形例を示す平面図。
【図２１】本発明の実施の形態に係るドーム状建築物の変形例を示す正面図。
【図２２】本発明の実施の形態に係るドーム状建築物のトラス骨格の変形例を示す斜視図。
【符号の説明】
【００７４】
10  ドーム状建築物                    11  第１構造部
12  第２構造部                        13  第３構造部
14  第４構造部                        15  第５構造部
20  フレーム部材                      21  ビームフレーム部材
22  ロングフレーム部材                30  コネクタ
31  ベースコネクタ                    32  ビームコネクタ
33  ５アームコネクタ                  34  ６アームコネクタ
30a ハブ                              30b アーム
30c ビーム用アーム                    30d 補強平板部
30e アンカー挿通孔                    30f ロング用アーム
40  トラス骨格
50  中心柱部材                        51  ベースプレート
60  中心梁受部材                      61  円盤部
62  円筒部                            63  放射フィン
71  第１梁受部材                      72  第２梁受部材
70a 梁端受部                          70b 背板部
70c 受板部                            70d 係止フィン
70e フック部                          70f フック天板
70g フック背板                        70h 連結パイプ
81  第１梁部材                        82  第２梁部材
90  根太                              95  玄関
96  開口部                            97  吹抜
【図１】
0004805719.tif 000002
【図２】
0004805719.tif 000003
【図３】
0004805719.tif 000004
【図４】
0004805719.tif 000005
【図５】
0004805719.tif 000006
【図６】
0004805719.tif 000007
【図７】
0004805719.tif 000008
【図８】
0004805719.tif 000009
【図９】
0004805719.tif 000010
【図１０】
0004805719.tif 000011
【図１１】
0004805719.tif 000012
【図１２】
0004805719.tif 000013
【図１３】
0004805719.tif 000014
【図１４】
0004805719.tif 000015
【図１５】
0004805719.tif 000016
【図１６】
0004805719.tif 000017
【図１７】
0004805719.tif 000018
【図１８】
0004805719.tif 000019
【図１９】
0004805719.tif 000020
【図２０】
0004805719.tif 000021
【図２１】
0004805719.tif 000022
【図２２】
0004805719.tif 000023